(57)【要約】      （修正有）【課題】蓋が開いた開放状態を安定して保持することができる包装容器を提供する。【解決手段】箱状の包装容器１であって、矩形の底面板１１と、底面板１１の左辺、奥辺及び右辺の連続する三辺からそれぞれ立ち上がる左側面板１２、背面板１３及び右側面板１４とを有するトレー１０と、背面板の上縁から延出する天面板及び天面板から延出する正面板２２を有し、包装容器１の天面及び正面を蓋するフラップ２０と、フラップ２０が背面板１３の奥から底面板１１の下に回り込み、底面板１１の下表面にフラップ２０の上表面が当接した状態でフラップ２０の位置を保持する開放状態保持手段３１、３２、３３、３４とを備える。【選択図】図３
0003223353.tif 000002
【実用新案登録請求の範囲】
【請求項１】
箱状の包装容器であって、
矩形の底面板と、前記底面板の左辺、奥辺及び右辺の連続する三辺からそれぞれ立ち上がる左側面板、背面板及び右側面板とを有するトレーと、
前記背面板の上縁から延出する天面板及び前記天面板から延出する正面板を有し、当該包装容器の天面及び正面を蓋するフラップと、
前記フラップが前記背面板の奥から前記底面板の下に回り込み、前記底面板の下表面に前記フラップの上表面が当接した状態で前記フラップの位置を保持する開放状態保持手段とを備える
ことを特徴とする包装容器。
【請求項２】
前記開放状態保持手段が、
前記フラップから突出する係止片と、
前記トレーに設けられ、前記係止片を収容する線状の収容孔とを有し、
前記係止片の基端における幅よりも広い幅を有する幅広部が、前記係止片の基端から先端までの中途に設けられている
ことを特徴とする請求項１に記載の包装容器。
【請求項３】
前記フラップが当該包装容器の天面及び正面を蓋した状態で前記フラップの位置を保持する閉鎖状態保持手段をさらに備える
ことを特徴とする請求項１又は２に記載の包装容器。
【請求項４】
前記閉鎖状態保持手段が、
前記フラップの前記正面板の下縁から延出する延出片と
前記底面板に設けられ、前記延出片が挿入される挿入孔とを有し、
前記天面板と前記正面板とのなす角度が９０度未満のときに前記延出片が前記挿入孔に挿入される
ことを特徴とする請求項３に記載の包装容器。
【請求項５】
段ボールシートが折られてなり、
前記底面板における中芯の目の方向が左右方向である
ことを特徴とする請求項１〜４のいずれかに記載の包装容器。
【請求項６】
前記底面板における上表面側が耐水性材料を有する
ことを特徴とする請求項５に記載の包装容器。
【考案の詳細な説明】
【技術分野】
【０００１】
本考案は、包装容器に関し、特にピザなどの食品を包装する容器に関する。
【背景技術】
【０００２】
食品を内部で調理して提供する自動販売機の一つとして、ピザの自動販売機が知られている（特許文献１参照）。特許文献１に記載のピザの自動販売機は、次にように動作する。すなわち、冷凍されたピザを容器に載せて冷凍庫に複数ストックしており、消費者から注文が入ればその中の一枚をオーブンに移動させ、そこでピザを焼く。ピザが焼き上がったら容器の上に戻し、容器に載せられたピザを排出口から出す。消費者は容器ごとピザを持ち帰る。ここで容器は、自動販売機の内部にあるときはピザが載せられるトレーとして機能し、消費者が購入した後はピザを持ち帰る包装容器として機能する（特許文献１、図６，７参照）。
【０００３】
特許文献１に記載の自動販売機は、オーブンで焼く際にピザを一旦容器の上から加熱用の空間に移動させ、焼き上がった後にピザを容器の上に戻す。その際、容器は蓋部分を開放して折り曲げてトレー状にしているため（特許文献１、図６参照）、重量物であるピザが取り除かれると、折り曲げた部分が弾性により復元しようとするため、姿勢が不安定となり、容器が回転することがあった。容器が回転すると、排出口をスムーズに通過することができず、ピザが消費者に提供されないおそれがあった。また、排出口で容器が詰まった場合は、自動販売機がエラー状態となり、販売機会のロスに繋がるおそれもあった。
【０００４】
また、消費者がピザを購入して持ち帰る際には、蓋部分を折り返して容器に蓋する必要があるが、風が吹くなどして容易に蓋が開き、閉鎖状態が安定しないという問題もあった。
【先行技術文献】
【特許文献】
【０００５】
【特許文献１】国際公開第２０１１／０４５６６２号
【考案の概要】
【考案が解決しようとする課題】
【０００６】
上記問題点を鑑みて、本考案は、蓋が開いた開放状態を安定して保持することができる包装容器を提供することを課題とする。
【課題を解決するための手段】
【０００７】
本考案は、上記課題を解決するためになされたもので、請求項１に記載の考案は、箱状の包装容器であって、矩形の底面板と、前記底面板の左辺、奥辺及び右辺の連続する三辺からそれぞれ立ち上がる左側面板、背面板及び右側面板とを有するトレーと、前記背面板の上縁から延出する天面板及び前記天面板から延出する正面板を有し、当該包装容器の天面及び正面を蓋するフラップと、前記フラップが前記背面板の奥から前記底面板の下に回り込み、前記底面板の下表面に前記フラップの上表面が当接した状態で前記フラップの位置を保持する開放状態保持手段とを備えることを特徴とする包装容器である。
【０００８】
請求項１に記載の考案によれば、蓋が開いた開放状態を安定して保持することができる包装容器を提供できる。
【０００９】
請求項２に記載の考案は、前記開放状態保持手段が、前記フラップから突出する係止片と、前記トレーに設けられ、前記係止片を収容する線状の収容孔とを有し、前記係止片の基端における幅よりも広い幅を有する幅広部が、前記係止片の基端から先端までの中途に設けられていることを特徴とする請求項１に記載の包装容器である。
【００１０】
請求項２に記載の考案によれば、簡易な構成で開放状態を安定して保持することができる包装容器を提供できる。
【００１１】
請求項３に記載の考案は、前記フラップが当該包装容器の天面及び正面を蓋した状態で前記フラップの位置を保持する閉鎖状態保持手段をさらに備えることを特徴とする請求項１又は２に記載の包装容器である。
【００１２】
請求項３に記載の考案によれば、蓋が閉じた閉鎖状態を安定して保持することができる包装容器を提供できる。
【００１３】
請求項４に記載の考案は、前記閉鎖状態保持手段が、前記フラップの前記正面板の下縁から延出する延出片と前記底面板に設けられ、前記延出片が挿入される挿入孔とを有し、前記天面板と前記正面板とのなす角度が９０度未満のときに前記延出片が前記挿入孔に挿入されることを特徴とする請求項３に記載の包装容器である。
【００１４】
請求項４に記載の考案によれば、簡易な構成で閉鎖状態を安定して保持することができる包装容器を提供できる。
【００１５】
請求項５に記載の考案は、段ボールシートが折られてなり、前記底面板における中芯の目の方向が左右方向であることを特徴とする請求項１〜４のいずれかに記載の包装容器である。
【００１６】
請求項５に記載の考案によれば、変形が残るおそれの少ない包装容器を提供できる。
【００１７】
請求項６に記載の考案は、前記底面板における上表面側が耐水性材料を有することを特徴とする請求項５に記載の包装容器である。
【００１８】
請求項６に記載の考案によれば、水分を含む食品が載せられても変形が残るおそれの少ない包装容器を提供できる。
【考案の効果】
【００１９】
本考案によれば、蓋が開いた開放状態を安定して保持することができる包装容器を提供することができる。
【図面の簡単な説明】
【００２０】
【図１】本考案の実施形態に係る包装容器の展開図である。
【図２】本考案の実施形態に係る包装容器を組み立てている途中を示す斜視図である。
【図３】本考案の実施形態に係る包装容器が開放状態となる直前の状態を示す斜視図である。
【図４】本考案の実施形態に係る包装容器が閉鎖状態となる直前の状態を示す斜視図である。
【図５】本考案の実施形態に係る包装容器の閉鎖状態を示す斜視図である。
【図６】本考案の実施形態に係る包装容器が、開放状態であり底面板に食品が載せられて、自動販売機の内部に収容されている状態を示す正面図である。
【考案を実施するための形態】
【００２１】
次に、本考案を適用した包装容器の実施形態について、図面を参照しながら説明する。なお、以下に述べる実施形態は、本考案の好適な実施形態であるから、技術的に好ましい種々の限定が付されているが、本考案の範囲は、以下の説明において特に本考案を限定する旨の記載がない限り、これらの態様に限られるものではない。
【００２２】
本考案に係る包装容器の実施形態について、図１〜６に基づき説明する。図１は、本考案の実施形態に係る包装容器の展開図である。図２は、本考案の実施形態に係る包装容器を組み立てている途中を示す斜視図である。図３は、本考案の実施形態に係る包装容器が開放状態となる直前の状態を示す斜視図である。図４は、本考案の実施形態に係る包装容器が閉鎖状態となる直前の状態を示す斜視図である。図５は、本考案の実施形態に係る包装容器の閉鎖状態を示す斜視図である。図６は、本考案の実施形態に係る包装容器が、開放状態であり底面板に食品が載せられて、自動販売機の内部に収容されている状態を示す正面図である。
【００２３】
まず、本実施形態に係る包装容器１の構成について説明する。包装容器１は、図１に示すように、裁断された一枚の段ボールシートが折り曲げられて構成される。図１における二点鎖線は折り曲げる線を示している。包装容器１は、段ボールシートで構成されることで耐衝撃性を有する。この段ボールシートの中芯の目方向は、図１における上下方向となっている。図１における上下方向は、包装容器１の左右方向を意味し、後述するように、目方向をこのように設定することで包装容器１として必要な強度・剛性を確保することが可能となる。なお、図１における左右方向は、包装容器１の前後方向を意味する。包装容器１はその展開状態において複数の貫通孔を有しており、挿入孔１１ｅ，１１ｆ，１１ｇ，１１ｈ、収容孔３３，３４、挿入孔４３，４４は、シートを貫通する孔である。
【００２４】
包装容器１は、主要な構成要素としてトレー１０及びフラップ２０を有し、組み立てたときには図５に示すように六面体の箱状となる。トレー１０は底面板１１、左側面板１２、背面板１３及び右側面板１４の四面を有し、フラップ２０は天面板２１及び正面板２２の二面を有する。フラップ２０は、トレー１０の背面板１３の上縁１３ａから延出している。
【００２５】
次に包装容器１のトレー１０の構成について説明する。図１に示すように、トレー１０は矩形の底面板１１を有している。底面板１１の左辺１１ａからは左側面板外板１２ａが延出しており、奥辺１１ｂからは背面板１３が延出しており、右辺１１ｃからは右側面板外板１４ａが延出している。左側面板外板１２ａからは二本の折曲線１２ｃ，１２ｄを経て左側面板内板１２ｂが延出しており、右側面板外板１４ａからは二本の折曲線１４ｃ，１４ｄを経て右側面板内板１４ｂが延出している。また背面板１３の左右からは連結片１２ｇ，１４ｇがそれぞれ延出している。なお底面板１１の前辺１１ｄは、一番手前側にある辺である。
【００２６】
左側面板外板１２ａ、背面板１３及び右側面板外板１４ａを、それぞれ左辺１１ａ、奥辺１１ｂ及び右辺１１ｃに沿って上に折り曲げ、連結片１２ｇ，１４ｇをそれぞれ手前に向けて折り曲げる。そして図２に示すように、左側面板外板１２ａと左側面板内板１２ｂとの間に連結片１２ｇが挟まるように折曲線１２ｃ，１２ｄをそれぞれ内側に折り曲げ、右側面板外板１４ａと右側面板内板１４ｂとの間に連結片１４ｇが挟まるように折曲線１４ｃ，１４ｄをそれぞれ内側に折り曲げる。そして左側面板内板１２ｂから延出する延出片１２ｅ，１２ｆを、底面板１１の左辺１１ａの近傍に設けられた挿入孔１１ｅ，１１ｆ（図１参照）にそれぞれ挿入して係合し、これにより左側面板１２が形成される（図３参照）。また、右側面板内板１４ｂから延出する延出片１４ｅ，１４ｆを、底面板１１の右辺１１ｃの近傍に設けられた挿入孔１１ｇ，１１ｈにそれぞれ挿入して係合し、これにより右側面板１４が形成される（図３参照）。
【００２７】
こうして、底面板１１の左辺１１ａ、奥辺１１ｂ及び右辺１１ｃの連続する三辺からそれぞれ立ち上がる左側面板１２、背面板１３及び右側面板１４が形成される。左側面板１２と背面板１３とは連結片１２ｇを介して、右側面板１４と背面板１３とは連結片１４ｇを介してそれぞれ繋がっている。
【００２８】
トレー１０の背面板１３の上縁１３ａからはフラップ２０が延出しており（図１，２参照）、フラップ２０は、背面板１３の上縁１３ａから近い順に天面板奥部２１ａ、天面板手前部２１ｂ及び正面板２２を有している。天面板奥部２１ａ及び天面板手前部２１ｂは、包装容器１の天面を蓋する天面板２１として機能する。フラップ２０の正面板２２の左右からは、係止片３１，３２がそれぞれ突出して設けられている。
【００２９】
（開放状態）
次に包装容器１における開放状態について説明する。包装容器１の開放状態は、包装容器１に収容される物が外部に露出する状態であり、自動販売機の内部において食品を調理するために食品のみを移動させるのに適した状態である。なお、包装容器１の開放状態と閉鎖状態との違いは、フラップ２０の姿勢であり、トレー１０の姿勢には違いはない。
【００３０】
包装容器１を開放状態にする過程を、図３に基づき説明する。包装容器１を開放状態にするため、フラップ２０は背面板１３の上縁１３ａにおいて奥向きに約１８０度曲げられる。このとき天面板奥部２１ａと背面板１３とが隣接する。そして天面板手前部２１ｂを、折曲線２１ｃにおいて手前向きに曲げる。このとき天面板手前部２１ｂが底面板１１の下方に位置し、このまま折曲線２１ｃを約９０度に曲げると、底面板１１の下表面にフラップ２０の上表面が当接することになる。具体的には、フラップ２０の天面板手前部２１ｂ及び正面板２２の上表面が、底面板１１の下表面に当接する。
【００３１】
底面板１１の下表面にフラップ２０の上表面が当接する前に、フラップ２０から突出する係止片３１，３２をそれぞれ上向き曲げておく。そして底面板１１にフラップ２０を近づけていくと、係止片３１，３２は、トレー１０の左右に設けられた線状の収容孔３３，３４に、それぞれ収容される。収容孔３３，３４は、図１に示すように、底面板１１と左側面板１２及び右側面板１４それぞれとの境界に設けられている。
【００３２】
係止片３１，３２は、その基端と先端との間に、基端における幅よりも広い幅を有する幅広部３１ａ，３２ａがそれぞれ設けられている。そのため、折曲線２１ｃが弾性で元に戻ろうとした場合でも、幅広部３１ａ，３２ａが収容孔３３，３４の縁に引っ掛かるため、係止片３１，３２が収容孔３３，３４から抜けることが防止される。つまり、包装容器１の開放状態が安定して維持される。すなわち係止片３１，３２及び収容孔３３，３４は開放状態保持手段を構成する。
【００３３】
（閉鎖状態）
次に包装容器１における閉鎖状態について図４，５に基づき説明する。包装容器１の閉鎖状態は、包装容器１に収容される物を外部から隔離する状態であり、自動販売機から排出された後、食品を持ち帰るのに適した状態である。
【００３４】
包装容器１を閉鎖状態にする過程を、図４に基づき説明する。包装容器１を閉鎖状態にするため、フラップ２０は背面板１３の上縁１３ａにおいて手前向きに約９０度曲げられる。このとき、折曲線２１ｃは折り曲げられず、天面板奥部２１ａと天面板手前部２１ｂとはフラットである一方で、正面板２２は上縁２２ａで下向きに折り曲げられる。なお正面板２２の左右から突出する係止片３１，３２は、左側面板１２及び右側面板１４と干渉しないよう、それぞれ内側に折り曲げられている。
【００３５】
そして図５に示すように、正面板２２の下縁２２ｂから延出する延出片４１，４２を、底面板１１に設けられた挿入孔４３，４４にそれぞれ挿入し、正面板２２の下縁２２ｂを底面板１１の上表面に当接させる。このとき同時に、天面板２１の下表面が左側面板１２の上縁及び右側面板１４の上縁に当接する。そのため、フラップ２０は包装容器１の天面及び正面を蓋した状態となる。
【００３６】
なお、挿入孔４３，４４は、正面板２２の上縁２２ａを底面板１１に鉛直に投影した線より奥に配置されている。そのため、正面板２２がフラットな状態から９０度より大きく折れ曲がったときに、延出片４１，４２が挿入孔４３，４４に挿入可能となる。すなわち、天面板２１と正面板２２とのなす角度は９０度未満となっている。これにより、上縁２２ａで折り曲げられた正面板２２が弾性により元に戻ろうとした場合、延出片４１，４２が挿入孔４３，４４それぞれの縁を押圧するため、摩擦が大きくなる。そのため、延出片４１，４２が挿入孔４３，４４から容易に外れ難くなり、フラップ２０が包装容器１の天面及び正面を蓋した状態、つまり包装容器１の閉鎖状態が保持される。すなわち延出片４１，４２及び挿入孔４３，４４は閉鎖状態保持手段を構成する。
【００３７】
（自動販売機の内部に収容された包装容器の状態）
次に、開放状態の包装容器１に食品が載せられて自動販売機の内部に収容されている状態について、図６に基づき説明する。図６に示す包装容器１は開放状態であって、底面板１１の上には食品Ｐ、具体的には冷凍ピザが載せられている。包装容器１は、左右に配置された一対の断面Ｌ字形のコンベアＣによって支えられている。コンベアＣは冷凍庫の内部で上下に移動するよう構成されている。包装容器１は開放状態であるため、コンベアＣが直接接触するのは底面板１１の下に位置するフラップ２０である。
【００３８】
図６に示す包装容器１は、その中央部に重量を有する食品Ｐが置かれ、左右の端部にはコンベアＣからの支持反力が作用する。そのため包装容器１には、図６に示すように曲げモーメントＭが作用する。包装容器１に曲げモーメントＭが作用すると、底面板１１及びフラップ２０は、「下に凸」となるよう撓む。ここでもしも底面板１１及びフラップ２０について、左右方向の強度・剛性が低ければ、この曲げモーメントにより「下に凸」の変形が残る可能性がある。底面板１１及びフラップ２０に「下に凸」の変形が残ると、開放状態の包装容器１が平らな面に置かれた場合、面ではなく点で接触し、その点を中心に回転してしまうおそれがある。
【００３９】
しかし、本実施形態に係る包装容器１は、図１に示した通り、中芯の目の方向が左右方向であるため、底面板１１及びフラップ２０の左右方向の強度・剛性は高い。したがって、底面板１１及びフラップ２０に「下に凸」の変形が残るおそれは少ない。そのため、開放状態の包装容器１が平らな面に置かれた場合、面で接触するため姿勢が安定する。
【００４０】
（開放状態保持手段の他の例）
先述の実施形態では、係止片３１，３２と収容孔３３，３４の組合せにより包装容器１の開放状態を維持していたが、開放状態保持手段はこれに限られず、例えば、フラップ２０の上表面と底面板１１の下表面に面ファスナの対を設けて、これらを一時的に結合してフラップ２０の位置を保持することも可能である。また、粘着テープや両面テープを使用して、フラップ２０の上表面と底面板１１の下表面となどを一時的に結合することも可能である。
【００４１】
（閉鎖状態保持手段の他の例）
先述の実施形態では、延出片４１，４２と挿入孔４３，４４の組合せにより包装容器１の閉鎖状態を維持していたが、閉鎖状態保持手段はこれに限られず、例えば、係止片３１を左側面板１２における左側面板外板１２ａと左側面板内板１２ｂとの間に挿し込み、係止片３２を右側面板１４における右側面板外板１４ａと右側面板内板１４ｂとの間に挿し込むことによって、フラップ２０が包装容器１の天面及び正面を蓋した状態を保持することもできる。
【００４２】
（段ボールに関する他の例）
図６に示すように、冷凍された食品が開放状態の包装容器１の底面板１１に載せられた場合、食品自体が含む水分や結露などの要因により、底面板１１が水分を吸収するおそれがある。段ボールは吸水すると強度・剛性が低下する場合がある。そこで、包装容器１を構成する段ボールシートにおいて、少なくとも底面板１１における上表面側に耐水性材料を適用すれば、底面板１１が水分を吸収するおそれがなくなり、強度・剛性が低下するおそれもなくなる。底面板１１の上表面側を耐水性材料とするには、上表面側のライナーに撥水加工を施した紙を適用したり、合成樹脂のフィルムや金属箔を貼ることで実現できる。また底面板１１の上表面側だけに限らず、段ボールシート全体を耐水性材料で構成してもよい。
【００４３】
また、先述の実施形態では、一枚の段ボールシートを折り曲げて構成した包装容器１について説明したが、複数枚の段ボールシートから構成することも可能である。また材料は段ボールに限られず、例えば合成樹脂のシートとすることも可能である。
【符号の説明】
【００４４】
１      包装容器
１０    トレー
１１    底面板
１１ａ  左辺
１１ｂ  奥辺
１１ｃ  右辺
１１ｄ  前辺
１１ｅ，１１ｆ，１１ｇ，１１ｈ  挿入孔
１２    左側面板
１２ａ  左側面板外板
１２ｂ  左側面板内板
１２ｃ，１２ｄ  折曲線
１２ｅ，１２ｆ  延出片
１２ｇ  連結片
１３    背面板
１３ａ  上縁
１４    右側面板
１４ａ  右側面板外板
１４ｂ  右側面板内板
１４ｃ，１４ｄ  折曲線
１４ｅ，１４ｆ  延出片
１４ｇ  連結片
２０    フラップ
２１    天面板
２１ａ  天面板奥部
２１ｂ  天面板手前部
２１ｃ  折曲線
２２    正面板
２２ａ  上縁
２２ｂ  下縁
３１，３２    係止片（開放状態保持手段）
３１ａ，３１ｂ  幅広部
３３，３４    収容孔（開放状態保持手段）
４１，４２    延出片（閉鎖状態保持手段）
４３，４４    挿入孔（閉鎖状態保持手段）
【図１】
0003223353.tif 000003
【図２】
0003223353.tif 000004
【図３】
0003223353.tif 000005
【図４】
0003223353.tif 000006
【図５】
0003223353.tif 000007
【図６】
0003223353.tif 000008